(57)【要約】【課題】階段の蹴上げ面を流下する雨水を受け入れ、側溝に導くことができる階段の排水構造を提供すること。【解決手段】階段１の踏み面１１に降りかかり、蹴上げ面１２を流下する雨水を受け入れ、階段１の側部に形成された側溝１３に導くための排水部材２を、階段１の蹴上げ面１２に階段１の幅方向に亘って配設する。【選択図】図１
2008069537.tif 000002
【特許請求の範囲】
【請求項１】
階段の蹴上げ面を流下する雨水を受け入れ、側溝に導くための排水部材を、階段の蹴上げ面又は蹴上げ面に接する踏み面に階段の幅方向に亘って配設してなることを特徴とする階段の排水構造。
【請求項２】
排水部材を、側溝に向かう水勾配を付けて配設したことを特徴とする請求項１記載の階段の排水構造。
【請求項３】
階段の蹴上げ面を流下する雨水を受け入れ、側溝に導くために、階段の蹴上げ面に階段の幅方向に亘って配設する階段の排水部材であって、該排水部材が、階段の蹴上げ面に固着するための鉛直部と、水受け部とを備えてなることを特徴とする階段の排水部材。
【請求項４】
階段の蹴上げ面を流下する雨水を受け入れ、側溝に導くために、階段の蹴上げ面に接する踏み面に階段の幅方向に亘って配設する階段の排水部材であって、該排水部材が、階段の踏み面に固着される水受け部を備えてなることを特徴とする階段の排水部材。
【発明の詳細な説明】
【技術分野】
【０００１】
本発明は、階段の排水構造及びそれに用いる排水部材に関し、特に、階段の蹴上げ面を流下する雨水を受け入れ、側溝に導くようにするための階段の排水構造及びそれに用いる排水部材に関するものである。
【背景技術】
【０００２】
集合住宅等の屋外階段や半屋外階段においては、階段に雨水が降りかかると、雨水が階段を伝って住戸の玄関先に流れ込み、床面が汚れたり、歩行者が滑って転倒する等の問題があった。
【０００３】
ところで、この問題点に対処するために、本件出願人は、先に、階段の踏み面に配設する滑り止めの突起を設けた床材を用いた階段の排水構造を提案した（特許文献１及び２参照）。
しかしながら、この階段の排水構造は、滑り止めの突起を設けた床材を用いることを前提とするものであって、構造や排水能力が床材によって制約を受け、また、このような床材を用いない場合には適用できないという問題があった。
【特許文献１】特開２００４−１９７３１６号公報
【特許文献２】特開２００５−２９９９６号公報
【発明の開示】
【発明が解決しようとする課題】
【０００４】
本発明は、上記従来の階段の排水構造の有する問題点に鑑み、階段の蹴上げ面を流下する雨水を受け入れ、側溝に導くことができ、特に、階段の踏み面に配設する床材によって、その構造や排水能力に制約を受けず、また、このような床材とは独立して設けることができる階段の排水構造及びそれに用いる排水部材を提供することを目的とする。
【課題を解決するための手段】
【０００５】
上記目的を達成するため、本発明の階段の排水構造は、階段の蹴上げ面を流下する雨水を受け入れ、側溝に導くための排水部材を、階段の蹴上げ面又は蹴上げ面に接する踏み面に階段の幅方向に亘って配設してなることを特徴とする。
【０００６】
この場合において、排水部材を、側溝に向かう水勾配を付けて配設することができる。
【０００７】
また、上記階段の排水構造に用いる第１の階段の排水部材は、階段の蹴上げ面を流下する雨水を受け入れ、側溝に導くために、階段の蹴上げ面に階段の幅方向に亘って配設する階段の排水部材であって、該排水部材が、階段の蹴上げ面に固着するための鉛直部と、水受け部とを備えてなることを特徴とする。
【０００８】
また、上記階段の排水構造に用いる第２の階段の排水部材は、階段の蹴上げ面を流下する雨水を受け入れ、側溝に導くために、階段の蹴上げ面に接する踏み面に階段の幅方向に亘って配設する階段の排水部材であって、該排水部材が、階段の踏み面に固着される水受け部を備えてなることを特徴とする。
【発明の効果】
【０００９】
本発明の階段の排水構造によれば、階段の蹴上げ面を流下する雨水を受け入れ、側溝に導くための排水部材を、階段の蹴上げ面又は蹴上げ面に接する踏み面に階段の幅方向に亘って配設してなることから、集合住宅等の屋外階段や半屋外階段において、階段に降りかかり、階段の蹴上げ面を流下する雨水を、排水部材に受け入れ、側溝に導くことができるため、雨水が住戸の玄関先に流れ込むことを未然に防止することができる。
【００１０】
また、排水部材を、側溝に向かう水勾配を付けて配設することにより、排水部材に受け入れた雨水を円滑に側溝に導くことができ、排水能力を向上することができる。
【００１１】
また、本発明の第１の階段の排水部材によれば、排水部材が、階段の蹴上げ面に固着するための鉛直部と、水受け部とを備えてなることから、階段の踏み面に配設する床材によって、その構造や排水能力に制約を受けることなく、このような床材とは独立して排水部材を配設することができる。
【００１２】
また、本発明の第２の階段の排水部材によれば、排水部材が、階段の踏み面に固着される水受け部を備えてなることから、排水部材を簡易に配設することができる。
【発明を実施するための最良の形態】
【００１３】
以下、本発明の階段の排水構造及びそれに用いる排水部材の実施の形態を、図面に基づいて説明する。
【実施例１】
【００１４】
図１〜図３に、本発明の階段の排水構造及びそれに用いる排水部材の第１実施例を示す。
この階段の排水構造は、主として、集合住宅等の屋外階段や半屋外階段に適用されるもので、階段１の踏み面１１に降りかかり、蹴上げ面１２を流下する雨水を受け入れ、階段１の側部に形成された側溝１３に導くための排水部材２を、階段１の蹴上げ面１２の適宜位置に階段１の幅方向に亘って配設するようにしている。
【００１５】
この場合、排水部材２は、階段の昇降の邪魔にならない位置、好ましくは、階段１の蹴上げ面１２の中間よりやや下部に配設するようにする。
なお、この排水部材２は、階段１のすべての蹴上げ面１２に配設する必要はなく、階段１の踏み面１１に降りかかる雨水の予想水量に応じて、階段１の数段毎に、あるいは、下方の段の蹴上げ面１２に選択的に配設するようにすることもできる。
【００１６】
また、排水部材２は、側溝１３に向かう水勾配を付けて配設することが好ましい。この水勾配の大きさは、特に限定されるものではないが、例えば、１／１００以上の水勾配が適当である。
これにより、排水部材２に受け入れた雨水を円滑に側溝に導くことができ、排水能力を向上することができる。
【００１７】
排水部材２の側溝１３側の端部２ａは、階段１の蹴上げ面１２から側溝１３側に突出するようにして配設することが好ましい。
これにより、端部２ａから雨水が蹴上げ面１２を伝って垂れ落ちるのを防止することができる。
さらに、図２に示すように、蹴上げ面１２側の突出量が小さく、蹴上げ面１２側から離れるほど突出量が大きくなる傾斜面に形成して配設すると、側溝１３に沿って上部から大量の雨水やゴミが流下した場合でも、これらを堰き止めることなく、流下させることができる。
【００１８】
一方、排水部材２の側溝１３と反対側の端部２ｂには、必要に応じて、堰（図示省略）を形成することができる。
これにより、端部２ｂから雨水が垂れ落ちるのを防止することができる。
【００１９】
排水部材２は、図３に示すように、階段１の蹴上げ面１２に固着するための鉛直部２１と、略Ｕ字状の水受け部２２とを備えるようにしている。
水受け部２２の形状は、排水部材２に受け入れる雨水の予想水量に応じて決定するが、通常の水量では、高さＨ：１０〜５０ｍｍ程度、幅Ｗ：１０〜３０ｍｍ程度に設定することが適当であり、さらに好ましい高さＨは１０〜３０ｍｍ程度である。
水受け部２２の形状が略Ｕ字状の場合は、内壁底面の幅が広く、また断面の入り隅部にアールがあるので、清掃等のメンテナンスが行いやすいので好ましい。この略Ｕ字状の内壁底面には凸条を形成して、底面を複数に区画することで排水性を向上させてもよい。
また、水受け部２２の形状は、排水性を考慮して略Ｖ字状やレ字状にしてもよい。
【００２０】
階段１の蹴上げ面１２に固着するための鉛直部２１は、好ましくは、水受け部２２より上方に突出して形成するようにし、さらに好ましくは、鉛直部２１の上端部に面取り２１ａを形成するようにする。
これにより、排水部材２を階段１の蹴上げ面１２に確実に固着することができるとともに、蹴上げ面１２を流下する雨水を円滑に鉛直部２１から水受け部２２に受け入れることができる。
【００２１】
なお、図４に示す第１実施例の変形例のように、必要に応じて、水受け部２２の上端部に折り返し部２２ａを形成することができる。
これにより、水受け部２２から雨水が溢れ出るのを防止することができる。
【００２２】
排水部材２を階段１の蹴上げ面１２に固着する方法としては、接着剤、粘着剤、ビス止め等の任意の固着手段を採用することができる。
【００２３】
排水部材２は、軟質、半軟質、硬質の任意の合成樹脂、例えば、塩化ビニル、酢酸ビニル等のビニル系樹脂、ポリエチレン、ポリプロピレン等のオレフィン系樹脂、エチレン−酢酸ビニル等の共重合体樹脂等の熱可塑性樹脂、ゴム、アルミニウム等の金属、無機材料等の任意の材料によって構成することができる。
【００２４】
また、排水部材２、特に、雨水を受け入れる排水部材２の内面には、親水化剤（界面活性剤等）及び／又は防汚性機能剤を付与（塗布又は表面層を構成する材料に混入）することができ、これにより、雨水の独立した水滴化を防止し、量の多少に関わらず雨水を円滑に流出させることができ、また、汚れの付着やカビ等が発生するのを防止することができる。
また、その他にも、必要に応じて防カビ剤、抗菌剤、防藻剤等を適宜付与してもよい。
【００２５】
なお、本実施例においては、階段１の踏み面１１に床材Ｆを配設するようにしているが、本実施例によれば、床材Ｆとの関係で排水構造や排水能力に制約を受けることなく、床材Ｆとは独立して排水部材２を配設することができる。
【実施例２】
【００２６】
図５に、本発明の階段の排水構造及びそれに用いる排水部材の第２実施例を示す。
この階段の排水構造は、主として、集合住宅等の屋外階段や半屋外階段に適用されるもので、階段１の踏み面１１に降りかかり、蹴上げ面１２を流下する雨水を受け入れ、階段１の側部に形成された側溝１３に導くための排水部材２を、階段１の蹴上げ面１２に接する踏み面１１の位置に階段１の幅方向に亘って配設するようにしている。
【００２７】
排水部材２は、図５（ｂ）に示すように、階段１の踏み面１１に固着される水受け部２３を備えるようにしている。
水受け部２３には、蹴上げ面１２側の反対側に突縁２３ａを形成するようにする。
なお、図５（ｃ）に示す第２実施例の変形例のように、水受け部２３の蹴上げ面１２側に上端部に面取りを形成した突縁２３ｂを形成することもできる。
【００２８】
以上、本発明の階段の排水構造及びそれに用いる排水部材について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２９】
本発明の階段の排水構造及びそれに用いる排水部材は、階段の蹴上げ面を流下する雨水を受け入れ、側溝に導くことができることから、集合住宅等の屋外階段や半屋外階段に好適に用いることができるほか、例えば、水を使う階段にも用いることができる。
【図面の簡単な説明】
【００３０】
【図１】本発明の階段の排水構造の第１実施例を示す説明図である。
【図２】同階段の排水構造の要部を示し、（ａ）は平面図、（ｂ）は正面図である。
【図３】同階段の排水構造に用いる排水部材を示し、（ａ）は平面図、（ｂ）は正面図、（ｃ）は側面図である。
【図４】排水部材の変形例を示し、（ａ）は平面図、（ｂ）は正面図、（ｃ）は側面図である。
【図５】本発明の階段の排水構造の第２実施例を示し、（ａ）は説明図、（ｂ）は同階段の排水構造に用いる排水部材の側面図、（ｃ）は排水部材の変形例の側面図である。
【符号の説明】
【００３１】
１    階段
１１  踏み面
１２  蹴上げ面
２    排水部材
２１  鉛直部
２２  水受け部
２３  水受け部
Ｆ    床材
【図１】
2008069537.tif 000003
【図２】
2008069537.tif 000004
【図３】
2008069537.tif 000005
【図４】
2008069537.tif 000006
【図５】
2008069537.tif 000007